(57)【要約】【課題】本発明は、二重断熱パネルに関し、従来の外張り断熱工法における夏型結露を改組揺する二重断熱パネルを、作業容易にして製造コストを廉価にしてすることが課題であって、それを解決することである。【解決手段】柱外壁間に架設され固定される構造用合板２と、該構造用合板の内側に貼着されるとともに前記柱側壁間に密に嵌装され内装材との間に内側空間層４を形成する発泡プラスチック系内側断熱材５と、前記構造用合板２の外側に貼着されるとともに前記柱外壁に固定される外装材用下地材の間に嵌装され外装材６との間に通気層７を形成する発泡プラスチック系外側断熱材８とからなる二重断熱パネル１とする。【選択図】図１
2010255357.tif 000002
【特許請求の範囲】
【請求項１】
柱外壁間に架設され固定される構造用合板と、該構造用合板の内側に貼着されるとともに前記柱側壁間に密に嵌装され内装材との間に内側空間層を形成する発泡プラスチック系内側断熱材と、前記構造用合板の外側に貼着されるとともに前記柱外壁に固定される外装材用下地材の間に嵌装され外装材との間に通気層を形成する発泡プラスチック系外側断熱材とからなること、
を特徴とする二重断熱パネル。
【請求項２】
内側断熱材の横幅寸法が柱側壁間の寸法よりも若干大きく設定され、且つ、周側壁面が内側に傾斜するテーパ面に形成されていること、
を特徴とする請求項１に記載の二重断熱パネル。
【請求項３】
この内側断熱材には、縦方向に貫通させて厚み方向の途中から内側空間層に開口するスリットが併設されていること、
を特徴とする請求項１乃至２に記載の二重断熱パネル。
【発明の詳細な説明】
【技術分野】
【０００１】
本発明は、建物に内・外断熱を施工する二重断熱パネルに関するものである。
【背景技術】
【０００２】
従来、二重断熱パネルの構造として特許文献１における断面図である、図４に示すように、構造用板材１１に枠部材１２を片側に設け、その枠部材１２の内側に発泡ポリスチレン樹脂からなる内部断熱材１３を配設し、前記構造用板材１の他方片側に前記内部断熱材の枠部材１２の外寸よりも大きな寸法にした発泡ポリスチレン樹脂からなる外断熱材１４が貼着され、更に、下地材１５が貼着されているものが知られている。前記下地材１５には、結露防止用の通気溝１６が形成されている。
【０００３】
このような枠部材１２を有する二重断熱パネル１７を、予め工場で製作し、現場の柱１８，１８の間に外側からはめ込むものである。前記外断熱材１４には外壁材１９を釘止めして貼着するものである。
【先行技術文献】
【特許文献】
【０００４】
【特許文献１】特許第３０３８４７１号公報
【発明の概要】
【発明が解決しようとする課題】
【０００５】
しかし、従来の二重断熱パネル１７においては、構造用板材１１に枠材１２を予め設けているので、取り付け対象が特定されて多様な構造に対応させることが困難であり、多様な軸間装着において、容易に対処できるようにすることと、製作コストの低減が求められている。本発明に係る二重断熱パネルは、このような課題を解決するために提案されたものである。
【課題を解決するための手段】
【０００６】
本発明に係る二重断熱パネルの上記課題を解決して目的を達成するための要旨は、柱外壁間に架設され固定される構造用合板と、該構造用合板の内側に貼着されるとともに前記柱側壁間に密に嵌装され内装材との間に内側空間層を形成する発泡プラスチック系内側断熱材と、前記構造用合板の外側に貼着されるとともに前記柱外壁に固定される外装材用下地材の間に嵌装され外装材との間に通気層を形成する発泡プラスチック系外側断熱材とからなるものである。
【０００７】
また、前記内側断熱材の横幅寸法が柱側壁間の寸法よりも若干大きく設定され、且つ、周側壁面が内側に傾斜するテーパ面に形成されていること、更に、この内側断熱材には縦方向に貫通させて厚み方向の途中から内側空間層に開口するスリットが併設されていること、を含むものである。
【発明の効果】
【０００８】
本発明の二重断熱パネルによれば、二重断熱構造の建物を新築する時や既存の建物に外断熱構造を適用するときに、断熱対象となる建物等の柱軸間の追従性が良く、それに伴い作業性が向上し、構成も簡易で製造コストも廉価になる。
また、前記内側断熱材の横幅寸法が柱側壁間の寸法よりも若干大きく設定されているので、軸間装着において隙間無く密に嵌め込んで配設できる。更に、前記内側断熱材には周側壁面にテーパ面が設けられ、若しくは、縦方向に貫通させて厚み方向の途中から内側空間層に開口するスリットが併設されているので、一旦内側に窄めるようにして柱側壁間に装着することができるので、この二重断熱パネルの装着作業が容易となるものである。
【図面の簡単な説明】
【０００９】
【図１】本発明に係る二重断熱パネル１の使用状態を示す横断面図である。
【図２】同本発明の二重断熱パネル１の使用状態を示す縦断面図（Ａ）と、その一部拡大断面図（Ｂ），（Ｃ）とである。
【図３】同本発明に係る二重断熱パネル１の裏面（Ａ）と、表面（Ｂ）とである。
【図４】従来例に係る二重断熱パネルの使用状態を示す横断面図である。
【発明を実施するための形態】
【００１０】
本発明に係る二重断熱パネル１は、図１（Ａ）に示すように、柱外壁間に架設され固定される構造用合板２と、該構造用合板２の内側に貼着され内装材３との間に内側空間層４を形成する発泡プラスチック系内側断熱材５と、前記構造用合板２の外側に貼着され外装材６との間に通気層７を形成する発泡プラスチック系外側断熱材８とからなる。
【実施例１】
【００１１】
本発明に係る二重断熱パネル１は、図１（Ａ）に示すように、柱外壁９ｂ，９ｂ間に架設され固定される構造用合板２がある。この構造用合板２は、その厚さが９ｍｍ〜１２ｍｍ程度であり、これにより壁耐力強度を保持する。この構造用合板２の平衡含水率が変化しないように、該構造用合板２の内側には、例えば、７５ｍｍ程度の厚さにした発泡プラスチック系内側断熱材５が貼着される。前記合板２の平衡含水率とは、木材を外に放置しておくと、やがて大気の湿度と平衡した状態に達した状態の含水率をいう。わが国の平衡含水率はおよそ１５％であって、構造材の含水率はこの平衡含水率以下にすることが理想的である。
【００１２】
また、前記構造用合板２の外側にも、例えば、２５ｍｍ程度の厚さにした発泡プラスチック系外側断熱材８が貼着される。
【００１３】
この発泡プラスチック系断熱材としては、保水・保湿しないものとして発泡ポリスチレン樹脂製の断熱材が好ましい。また、その発泡倍数程度はその地域の気温環境により適宜に設定される。
【００１４】
前記内側断熱材５は、前記柱側壁９ｃ，９ｃ間に密に嵌装されるとともに、柱内壁９ｄ，９ｄ間に架設・貼着される内装材３との間に内側空間層４を形成している。この内側空間層４は、コンセントＢＯＸや配線，配管等の設置スペース、若しくは、内装下地材のスペースとして使用する。なお、通気層として使用するものではない。
【００１５】
前記外側断熱材８は、前記柱外壁９ｂに固定される外装材用下地材１０，１０の間に嵌装される。そして、前記下地材１０，１０間に横架して固定される外装材６との間に通気層７を形成する。この通気層７は、冬場の結露防止用である。
【００１６】
また、前記内側断熱材５の横幅寸法が柱側壁９ｃ，９ｃ間の寸法よりも若干大きく（例えば、一例として片側で２ｍｍ程度）設定され、且つ、図１（Ｂ）に示すように、周側壁面が内側に傾斜するテーパ面５ａ，５ｂに形成されている。このテーパ面５ａ，５ｂを設ける周側壁面は、図２（Ａ）に示すように、左右の側壁面と上部の側壁面とにして、下部の側壁面には、基礎１１上の土台１２に最初に載置させるので、テーパ面は無くて良い。
【００１７】
更に、図１（Ｂ），図３（Ａ）に示すように、この内側断熱材５には縦方向に貫通させて厚み方向の途中から内側空間層４に開口するスリット５ｃが設置されている。このスリット５ｃは、柱側に１箇所設けられる。このスリット５ｃにより、二重断熱パネル１の柱９，９間に装着する際に入れ込みやすくなるものである。
【００１８】
本発明に係る二重断熱パネル１を図１に示すように使用することで、冬場の結露を防止するとともに、夏場における壁体内結露（夏型結露）を保水・保湿しない発泡ポリスチレン樹脂製の内側断熱材５と外側断熱材８によって、合板２の平衡含水率変動が押さえられることで、防止できるものである。
【産業上の利用可能性】
【００１９】
本発明の二重断熱パネル１は、外張り断熱工法だけでは対処できない夏型結露を防止し、外側への断熱材の出張りを押さえて内側に断熱材を充填して一体にする合併型の二重断熱パネルとして、多様な箇所の断熱パネルとして使用することができる。
【符号の説明】
【００２０】
１          二重断熱パネル、
２          構造用合板、
３          内装材、
４          内側空間層、
５          発泡プラスチック系内側断熱材、      
５ａ，５ｂ  テーパ面、                        ５ｃ      スリット、
６          外装材、
７          通気層、
８          発泡プラスチック系外側断熱材、
９          柱、                              ９ａ      間柱、
９ｂ        柱外壁、                          ９ｃ      柱側壁、
９ｄ        柱内壁、
１０        外装材用下地材、
１１        構造用板材、
１２        枠部材、
１３        内部断熱材、
１４        外部断熱材、
１５        下地材、
１６        通気溝、
１７        二重断熱パネル、
１８        柱、
１９        外壁材。
【図１】
2010255357.tif 000003
【図２】
2010255357.tif 000004
【図３】
2010255357.tif 000005
【図４】
2010255357.tif 000006